(57)【要約】    【課題】  コンクリート仕上げの作業性が向上するとともに平滑な仕上げ面が得られる歩行冶具を提供する。    【解決手段】  未硬化のコンクリート打設面を歩行するために履物下面に装着する歩行治具であって、前記履物下面よりも大きく使用者の体重を分散して履物の沈下を防ぐ剛性を有する基盤と、この基盤の上面後側に設けられ前記履物の踵部表面に沿って立ち上がる立壁面を有する踵受け部を含み前記履物を前記基盤に取付けうる履物装着手段とを具え、前記基盤は、前記踵受け部の前側の踵領域と、該踵領域以外の担持領域とを有し、前記担持領域に、上下に貫通する多数の抜き孔を穿設するとともに、前記踵領域に、前記抜き孔の平均面積よりも大きくかつ前記立壁面の前面形状で湾曲する曲がり部を有するノロ戻し孔を設けたことを特徴とする。【選択図】  図１
0003115415.tif 000002
【実用新案登録請求の範囲】
【請求項１】
未硬化のコンクリート打設面を歩行するために履物下面に装着する歩行治具であって、  前記履物下面よりも大きく使用者の体重を分散して履物の沈下を防ぐ剛性を有する基盤と、この基盤の上面後側に設けられ前記履物の踵部表面に沿って立ち上がる立壁面を有する踵受け部を含み前記履物を前記基盤に取付けうる履物装着手段とを具え、
前記基盤は、前記踵受け部の前側の踵領域と、該踵領域以外の担持領域とを有し、前記担持領域に、上下に貫通する多数の抜き孔を穿設するとともに、前記踵領域に、前記抜き孔の平均面積よりも大きくかつ前記立壁面の前面形状で湾曲する曲がり部を有するノロ戻し孔を設けたことを特徴とする歩行冶具。
【請求項２】
前記踵受け部は、前記基盤の前後方向の中心線近傍に最も高く形成された頂部を具えるとともに、この頂部から巾方向に向かって高さが漸減して側堤部に連続し、しかも前記頂部は、前記基盤の上面から２５〜８０ｍｍの高さに形成されることを特徴とする請求項１記載の歩行冶具。
【請求項３】
前記踵受け部は、複数の分割片を有することを特徴とする請求項１記載の歩行治具。
【請求項４】
前記踵領域は、前記担持領域にのびる継ぎリブを有し、その両側に前記ノロ戻し孔を形成したことを特徴とする請求項１〜３のいずれかに記載の歩行冶具。
【請求項５】
前記継ぎリブは、前記中心線上に設けられたことを特徴とする請求項４記載の歩行冶具。
【請求項６】
前記ノロ戻し孔は、前記曲がり部が前記立壁面と滑らかに連なることを特徴とする請求項１〜５のいずれかに記載の歩行冶具。
【請求項７】
前記抜き孔は、前記立壁部の後面に連なることを特徴とする請求項１〜６のいずれかに記載の歩行冶具。
【請求項８】
前記側堤部は、前記中心線に対して、４〜１６度の角度で傾いて形成されることを特徴とする請求項２に記載の歩行冶具。
【考案の詳細な説明】
【技術分野】
【０００１】
本考案は、土間仕上げ作業などの際に使用し、未硬化のコンクリート打設面を、足跡を残すことなくしかもスムースに歩行できる歩行冶具に関する。
【背景技術】
【０００２】
コンクリートを打設した土間などの打設面を、作業者がスクリード、トンボ、ブラシ、鏝などの仕上げ具を用いて平滑に仕上げる際、狭小な仕上げ面ではその周囲から作業を行ない、或いは歩み板を渡してその上から作業している。しかし、仕上げ面の周囲状況等から歩み板の設置が困難な現場では、作業者が未硬化のコンクリート打設面上に入って作業せざるを得ず、陥没した足跡が残るため、整一な仕上げ面が得られない。また歩み板上からの仕上げ作業では、隅々にまで届いた仕上げが困難であるとともに、不自然な姿勢を余儀なくされ作業能率が低下する上に、腰痛などの障害を発生する可能性が高い。
【０００３】
そこで本出願人は、支持環の内側にネットを張設した補助具本体を、取付け紐により作業靴に装着して、未硬化のコンクリート打設面上を歩行しても、体重が分散されて足跡を残さないコンクリート作業靴補助具を提案している（例えば、特許文献１参照）。
【０００４】
【特許文献１】実開昭４９−１０６５５１号公報
【考案の開示】
【考案が解決しようとする課題】
【０００５】
しかしながら、前記コンクリート作業靴補助具においては、ネットの網目を抜けて浸出したノロが補助具本体の上に滞留して作業者の歩行を重くするため、作業性が低下し、或いは補助具本体上で滞留中に硬化したノロが打設面に落下した粒状の凸部を生じて仕上げ面の外観を損ねるなどの問題があり、更なる改善が必要であった。
【０００６】
本考案は、担持領域に、上下に貫通する多数の抜き孔を穿設するとともに、前記踵領域に、前記抜き孔の平均面積よりも大きくかつ前記立壁面の前面形状で湾曲する曲がり部を有するノロ戻し孔を設けることを基本とし、コンクリート仕上げの作業性が向上するとともに平滑な仕上げ面が得られる歩行冶具の提供を課題としている。
【課題を解決するための手段】
【０００７】
前記目的を達成するために、請求項１に係る考案では、未硬化のコンクリート打設面を歩行するために履物下面に装着する歩行治具であって、前記履物下面よりも大きく使用者の体重を分散して履物の沈下を防ぐ剛性を有する基盤と、この基盤の上面後側に設けられ前記履物の踵部表面に沿って立ち上がる立壁面を有する踵受け部を含み前記履物を前記基盤に取付けうる履物装着手段とを具え、前記基盤は、前記踵受け部の前側の踵領域と、該踵領域以外の担持領域とを有し、前記担持領域に、上下に貫通する多数の抜き孔を穿設するとともに、前記踵領域に、前記抜き孔の平均面積よりも大きくかつ前記立壁面の前面形状で湾曲する曲がり部を有するノロ戻し孔を設けたことを特徴とする。
【０００８】
請求項２に係る考案において、前記踵受け部は、前記基盤の前後方向の中心線近傍に最も高く形成された頂部を具えるとともに、この頂部から巾方向に向かって高さが漸減して側堤部に連続し、しかも前記頂部は、前記基盤の上面から２５〜８０ｍｍの高さに形成され、請求項３に係る考案では、前記踵受け部は、複数の分割片を有することを特徴とする。
【０００９】
請求項４に係る考案において、前記踵領域は、前記担持領域にのびる継ぎリブを有するとともに、その両側に前記ノロ戻し孔を形成し、また請求項５に係る考案では、前記継ぎリブは、前記中心線上に設けられたことを特徴とする。
【００１０】
請求項６に係る考案において、前記ノロ戻し孔は、前記曲がり部が前記立壁面と滑らかに連なり、また請求項７に係る考案では、前記抜き孔は、前記立壁部の後面に連なり、更に請求項８に係る考案において、前記側堤部は、前記中心線に対して、４〜１６度の角度で傾いて形成されることを特徴とする。
【考案の効果】
【００１１】
請求項１に係る考案は、履物の踵部表面に沿って立ち上がる立上壁の前側に、ノロ戻し孔を設けたため、使用者が踵側を下にして足を上げる際、抜き孔を通して基盤の上側に押し上げられて溜まったノロが、履物と基盤の間に生じる隙間を踵側へ流されて前記ノロ戻し孔からスムースに落下する。これにより、基盤上に滞留するノロの量が減るため楽に歩行でき、又基盤上で硬化が進んで硬くなったノロが打設面に戻って打設面に凹凸が残り、仕上げ面の平滑性を損なう弊害を防止できる。しかも前記ノロ戻し孔は、立上壁の前面形状で湾曲する曲がり部を有するため、足を上げた際に踵側を下にして傾斜する基盤上を踵側に流れるノロが、立上壁で堰き止められるとともに、その下のノロ戻し孔からスムースに落下して、打設面に素早く戻すことができる。
【００１２】
請求項２に係る考案においては、踵受け部が、中心線近傍に基盤の上面から２５〜８０ｍｍの高さの頂部を有するため、前記基盤上を踵側へ流れるノロを確実に受け止めることができ、しかも使用者の足の動作を妨げることがない。また、前記頂部の巾方向に連続する側堤部が、基盤上のノロを踵受け部前のノロ戻し孔へと誘導するため、ノロを効率的に排出できる。
【００１３】
請求項３に係る考案では、踵受け部に設けられた分割片により、足首などの形状に合わせてこれを支持できため、装着時の安定性に優れるとともに装着感が向上し、更には分割片間の隙間からノロの後方への流れ落ちが良好となる。また請求項４に係る考案のように、踵領域の継ぎリブの両側にノロ戻し孔を形成すると、歩行時に踵部分に大きく掛かる体重が継ぎリブによって確実に支持されるため、歩行動作が安定するとともに装着感を高める。請求項５に係る考案においては、基盤の前後方向の中心線上に設けた継ぎリブが、所謂背骨状に補強軸を形成するため、基盤の剛性を高めるとともに全体の軽量化を図りうる。
【００１４】
請求項６に係る考案においては、ノロ戻し孔の曲がり部が、前記立壁面と滑らかに連なるため基盤上のノロがノロ戻し孔へと、スムースにガイドされる。また請求項７に係る考案のように、立壁部の後面にも連なって抜き孔を設けることにより、歩行時のコンクリート打設面に対する圧力を更に低減できる。更に請求項８に係る考案のように、前記側堤部を、前記中心線に対し、４〜１６度の角度で傾けて形成すると、履物の側部を確り保持できるとともに、基盤上のノロをノロ戻し孔へ向け、スムースにガイドできる。
【考案を実施するための最良の形態】
【００１５】
以下、本考案の実施の一形態を、図示例とともに説明する。歩行冶具１は、図４に示すように、作業者が履物３の下面に装着し、未硬化のコンクリート打設面２を歩行する際に使用するもので、図１に示すように、前記履物３下面よりも大きいレーストラック状をなすフラットな基盤４と、この基盤４の上面に形成され、前記履物３を基盤４に取付けることのできる履物装着手段７とを具える。
【００１６】
前記基盤４は、装着時に履物３の踵部の下部に位置する踵領域８と、この踵領域８以外の担持領域９とからなる。本形態の担持領域９は、斜め方向に規則的に並ぶ菱形形状で上下に貫通した抜き孔１０を多数有し、斜め格子状に形成されている。更に基盤４は、前後方向の中心線ＣＬ上で連続した継ぎリブ１６を有する。なお本明細書において、爪先側を前、踵側を後とする。
【００１７】
前記基盤４には、図２に示すように、前寄りの領域に設けられて巾方向にのびる前の横リブ２１と、前記踵領域８の前に隣接して設けられる後の横リブ２２とを有する。さらにこの後の横リブ２２から前に向きハ字状にのびて前の横リブ２１で終端し、小高さで立ち上がって履物３の側部を保持できる左右一対の側堤部１４、１４が設けられる。本形態の側堤部１４は、前記中心線に対する傾きαが例えば、４〜１６程度、好ましくは６〜１２度、本形態では約８度傾いて形成される。前記αは、４度未満では、履物３の誘い込みの角度が過小となるため、履物３の下面に取付ける作業がやり難くなり、逆に１６度を超えると、前寄りの範囲で履物３の側部との隙間が大きくなり過ぎて、歩行時にズレが生じ易い。
【００１８】
前記踵領域８は、基盤４の後寄りに配置されて、平面視後側を円形とした半円状をなし、しかも前記抜き孔１０の一個の平均面積よりも大きなノロ戻し孔１２が形成される。このノロ戻し孔１２は、湾曲した曲がり部１１が後側に形成され、本形態では、前記担持領域９からのびた継ぎリブ１６によって分割され、前記中心線ＣＬに対して対称な一対のノロ戻し孔１２、１２が形成されている。このように踵領域に継ぎリブを設けるとともに、その両側にノロ戻し孔を形成すると、歩行時に踵部分に大きく掛かる使用者の体重を継ぎリブが安定して支持するため、装着感が優れるとともに安定した歩行感が得られる。更に本形態では、前記の如く、基盤４の中心線ＣＬ上を、担持領域９及び踵領域８に連続して継ぎリブ１６が形成されるため、基盤４に対して背骨状の補強軸が形成されて、基盤の剛性を向上するとともに、軽量化できる。
【００１９】
前記履物装着手段７は、基盤４の後寄りに配され、履物３の踵部を後側から覆って支持する踵受け部６と、履物３を前記基盤４に装着する装着具２３とを有する。前記踵受け部６は、前記基盤４のノロ戻し孔１２の曲がり部１１から連続して立ち上がる立壁面５を含む。この立壁面５は、前記曲がり部１１に一致する湾曲形状をなし、履物３の踵部表面に沿うため、履物３を安定して装着できる。同時に、未硬化のコンクリート打設面２を歩行の際、抜き孔１０を通って基盤４上に浸出し、図４に示すように、基盤４の後傾時に後方へ流下するノロを受け止め、前記ノロ戻し孔１２へ導いてコンクリート打設面２へ戻すことができる。
【００２０】
本形態の踵受け部６は、図３に示すように、前記中心線ＣＬ近くを最も高く形成した頂部１３を設け、この頂部１３から、巾方向に向かい前記曲がり部１１に沿って湾曲しつつ高さを漸減し、前記基盤４の後の横リブ２２上で前記側堤部１４と連続している。前記頂部１３は、基盤４からの高さＨが、例えば、２５〜８０ｍｍ程度、好ましくは３５〜６０ｍｍ、本形態では４５ｍｍとしている。２５ｍｍ未満では、前記基盤４上を後方へ流下するノロの量が多いと、オーバーフローする可能性があり、逆に８０ｍｍを超えると、歩行時に足首の動きが抑制されて作業性を損なう可能性がある。
【００２１】
前記踵受け部６は、図５に示される変形例のように、中央を高く連続する３個の分割片１５、１５、１５を含んで構成することもできる。この場合、前記複数の分割片１５により、足首などが、その外形に沿って柔らかく支持されるため、安定した歩行動作できるとともに装着感が向上する。更には、基盤４上のノロを分割片１５の間から後方へスムースに排出することができる。
【００２２】
尚本形態の基盤４は、図２に示すように、前記抜き孔１０が、踵受け部６の後側にも連続して形成されている。そのため体重を分散しうる面が踵の後部へも拡がり、コンクリート打設面に対する圧力が一層低減できる。
【００２３】
本形態では、前記基盤４及び踵受け部６は、アルミダイキャストにより一体に成形される。そのため、基盤４は未硬化のコンクリート打設面上で使用される際に、使用者の体重を分散して沈下を防止できる高い剛性を備えるとともに、軽量化されて作業性を高め、取扱いが容易となる。アルミ以外に、純アルミに銅、マンガン、ケイ素、マグネシウムなどを添加したアルミニウム合金、純マグネシウムにアルミニウム、亜鉛、けい素、マンガンなど添加したマグネシウム合金、チタン合金などの軽量合金を用いると、軽く取扱い性が向上するうえ、高強度で耐久性に優れる点で好ましい。この他、ポリエチレン樹脂、ポリプロピレン樹脂、ポリスチレン樹脂、フェノール樹脂、不飽和ポリエステル樹脂などのプラスチック材料、或いはＦＲＰを用いて成形することもできる。
【００２４】
前記装着具２３は、本形態では、一方の側堤部１４の前後両端に取り付けられた一対の弾性ベルト２４、２４と、一方の側堤部１４の前後両端に設けられ、前記弾性ベルト２４の先端に設けられた係止環２４Ａを係着しうるフック２５、２５とからなる。図４に示すように、踵受け部６及び側堤部１４に沿う履物３に対し、その爪先部及び足首部の上から弾性ベルト２４を重ね、かつ弾性ベルト２４を引っ張りながらその先端の係止環２４Ａをフック２５に係着すると、弾性ベルト２４の弾性力により歩行冶具１が、履物３の下面に取り付けられる。このようにして左右の履物３に歩行冶具１を装着すると、未硬化のコンクリート打設面２上を歩行しても、履物下面より大きな基盤４によって体重が分散されるため沈み込みを防止できる。
【００２５】
そして、使用者の体重を受け、抜き孔１０を通して基盤４の上側に押し上げられて溜まったノロは、使用者が歩行動作よって踵側を下にして足を上げる際、履物３と基盤４の間に生じる隙間を踵側へ流され、踵領域８で立ち上がる立壁面５に受けら止められるとともに、ノロ戻し孔１２から落下して、コンクリート打設面２へスムースに返される。これにより、基盤４上に溜まるノロが減るため軽く楽に歩行できると同時に、基盤４上で滞留中に硬化が進み硬くなったノロが打設面に戻されて打設面に凹凸を生じ、仕上げ面の平滑性を損なうことが防止できる。しかも、基盤４上のノロは、基盤４に形成されたハ字状に傾く側堤部１４によってガイドされ、かつノロ戻し孔１２は、立壁面５の前面形状と同じ形状で湾曲して滑らかに連続する曲がり部１１を有するため、誘導されたノロはスムースに流れて打設面に素早く戻すことができる。
【００２６】
尚、叙上の説明は本考案の実施の形態を例示したものである。従って本考案の技術的範囲はこれに何ら限定されるものではなく、前記した実施の形態の他にも、各種の変形例が含まれる。
【図面の簡単な説明】
【００２７】
【図１】本考案の一実施の形態を例示する斜視図である。
【図２】その平面図である。
【図３】そのＡ−Ａ断面図である。
【図４】その使用状態を説明する正面図である。
【図５】他の実施の態様を例示する断面図である。
【符号の説明】
【００２８】
１      歩行冶具
２      コンクリート打設面
３      履物
４      基盤
５      立壁面
６      踵受け部
７      履物装着手段
８      踵領域
９      担持領域
１０      抜き孔
１１      曲がり部
１２      ノロ戻し孔
１３      頂部
１４      側堤部
１５      分割片
１６      継ぎリブ
【図１】
0003115415.tif 000003
【図２】
0003115415.tif 000004
【図３】
0003115415.tif 000005
【図４】
0003115415.tif 000006
【図５】
0003115415.tif 000007